(57)【要約】（小寸の画像記録装置、特にカメラまたはビデオ・カメラ）小型の画像記録装置（３）が、センサ（４）と、フレーム（１２）内に配置した焦点合わせ用のレンズ（８、９、１０）から形成したレンズ組立体とを含む。このセンサは、開口（２０）を有する支持体（１８）の第１表面（１６）上に配置してあり、その開口に面して前記センサの光感応面（６）を配置する。その反対側、すなわち支持体の第２表面（２２）上に、レンズが支持体の開口および光感応面と実質的に芯合するように、レンズ組立体フレームを配置する。このセンサは、光感応面を画定しかつその周辺部に支持体との電気接点用のパッドまたはバンプを有する半導体基板から形成されている。
2004507134.tif 000002
【特許請求の範囲】
【請求項１】
少なくとも１つのレンズ組立体（８、９、１０）と、開口（２０）を有する支持体（１８）と、光感応面（６）を有する基板から形成したセンサ（４）とから形成され、前記光学レンズおよび前記光感応面がそれぞれ、前記支持体のいずれか一方の側に、前記開口に面して位置し、前記支持体が、第１表面（１６）上に、導電通路と第１電気接点パッドまたはバンプとを具備する小寸の画像記録装置（２；３）において、前記センサが、前記基板上の前記光感応面の周辺部に、第２接点パッドまたはバンプ（２８）であって、それらが電気的に接続する前記支持体の前記対応する接点パッドまたはバンプに面して位置する第２接点パッドまたはバンプ（２８）を含むことを特徴とする画像記録装置（２；３）。
【請求項２】
前記センサが、半導体基板中に実装され、その基板の一方の表面上に、前記光感応面と前記第２接点パッドまたはバンプとを配置することを特徴とする、請求項１に記載の装置。
【請求項３】
前記少なくとも１つのレンズ（８、９、１０）が、両端で開口しかつ前記第１表面（１６）の反対側の、前記支持体の第２表面（２２）に固着されているフレーム（１２）中に配置されていることを特徴とする、前記請求項のいずれかに記載の装置。
【請求項４】
前記支持体の開口と前記フレームとを少なくとも部分的に貫通する第２レンズおよび／またはフィルタから形成された光学要素（１１）を設けることを特徴とする、請求項３に記載の装置。
【請求項５】
前記センサによって供給された電気信号を処理および／または利用するための少なくとも１つの電子ユニット（３０）が設けてあり、前記電子ユニットが、前記支持体（１８）の前記第１表面（１６）上に配置されていることを特徴とする、前記請求項のいずれかに記載の装置。
【請求項６】
前記センサが、その上におよび前記支持体の前記第１表面上に付着させた樹脂（３４）によって保護されていることを特徴とする、前記請求項のいずれかに記載の装置。
【発明の詳細な説明】
【０００１】
本発明は、画像を検出するために使用する複数の画素で形成したセンサを備える小寸の画像記録装置、特にカメラまたはビデオ・カメラに関する。本装置は、光軸が実質的にセンサの光感応面の幾何学的な中心と交差する少なくとも１つの焦点合わせ用のレンズを含む。
【０００２】
特に、本発明による画像記録装置は、多機能の携帯型デバイス、具体的には携帯電話、腕時計または携帯用マイクロコンピュータに搭載するためのものである。
【０００３】
センサ、フレーム内に配置したレンズ、および開口を有する支持体を含み、その開口に対向して、支持体の両側に、レンズとセンサの光感応面が配置してある画像記録装置が、米国特許第５，１３０，８０４号の文書で知られている。光感応面となる基板にセンサ自体が形成されており、この基板は、それが通常の仕方で電気接続するケースの底部に配置されている。このケースは、基板をケースの外部接点パッドに接続する電気接続部を含み、電子ユニットを載置する支持体に電気接続が可能になる。さらには、このケースは、その開口を閉じるために使用するガラス板の取り付け用に、開口の壁部内に凹部を有する（図４、６および７参照）。
【０００４】
上述の装置は、センサ自体が相対的に複雑なために、相対的に高価である欠点を有する。さらに、光感応面の基板と電子ユニット用の支持体との間の電気接続が２段階で行われ、基板上面およびケース底部を越える結合リード線を使用する第１接続部が必要である。この接続部は脆弱である。その上、このセンサは相対的に大きな寸法、特にその厚みを有する。
【０００５】
【特許文献１】米国特許第５，１３０，８０４号
【０００６】
本発明の１つの目的は、携帯型デバイスに容易に搭載可能な最小寸法を有する画像記録装置を提供することによって、上記の欠点を克服することである。
【０００７】
本発明の別の目的は、センサの画素と、画素が供給する電子信号を処理および／または利用するための電子ユニットとの間の電気接続部を容易にかつ確実に実現するような装置を提供することである。
【０００８】
最後に、本発明の別の目的は、コンパクトでかつ低コストで製造するために組み立てが容易な、そのようなタイプの装置を提供することである。
【０００９】
本発明による装置は、最低限の高さと高水準の剛性を有する。この装置の脆弱な部分を形成するセンサおよびその電気接続部が適切に保護してありかつ確実である。さらに、センサから周辺電子ユニットまでの電気接続部を溶接配線なしで実現する。
【００１０】
以降では、非限定的な例として呈示しかつ画像記録装置の好ましい一実施形態を図式的に示す図１を参照して、本発明を以下の記述によって詳細に説明する。
【００１１】
図１は、コンパクトで自律的なモジュールを形成する画像記録装置２を図式的に示す。しかし、それは携帯型デバイス、特に電話または腕時計のような手首に着ける物体に実装するためのものである。本装置は、光感応面６を有する画像センサ４と、両端が開口しているチューブ１３となりかつこのチューブの内側に、すなわち、センサ側に位置する端部シールド１４を備えるフレーム１２内に装着した焦点合わせ用レンズ８、９、１０と光学要素１１を含むレンズ組立体とから形成されている。センサ４を、光感応面６の寸法と実質的に等しいかまたはそれよりも大きい寸法の開口２０を有する支持体１８の下面１６に装着する。その光感応面は、この開口に面して位置しかつ実質的にその中心に芯合わせしてある。端部シールド１４は、レンズ８ないし１０の光軸２４が実質的に開口と光感応面との幾何学的中心を通過するように、支持体１８の上面２２に取り付けてある。
【００１２】
光学要素１１は、ここではレンズを形成するが、例えば紫外線フィルタを形成する単純な透明板でもよい。
【００１３】
フレーム１２は、当業者が利用可能な様々な方式で、特に接着することによって支持体１８に取り付けることができる。基板または端部シールド中に配置したピンなど、様々な位置決め手段を設けることができる。また、このフレームはねじ止めまたは他の同等な手段によっても装着可能である。
【００１４】
センサ４は表面に光感応面６となる画素を配置した半導体基板から形成されている。これらの画素は電気通路によって電気接点バンプ２８に接続されている。対応するパッドは支持体の下面１６に配置されている。これらの接点パッドをセンサ４に接続する様々な導電通路が面１６に配置してあり、少なくとも１つの電子ユニット３０が面１６に配置してある。処理済みのまたは部分的に処理した画像を利用手段、特に、装置２によって記録した画像を表示する表示手段に供給するための周辺接点パッド３２を設けることもできる。他の変形形態では、これらの電気接点バンプまたはパッドをそれぞれパッドまたはバンプと置き換えことができる。
【００１５】
センサ４および電子ユニット３０を樹脂３４によって保護する。この樹脂３４は、支持体１８の背面部分を剛性化しかつ支持体に配置した接点パッドとセンサの接続パッドまたはバンプ２８との間の電気接続部を保持する。センサ４が、微細な表面金属化で形成した接点パッドのみを備えて、電気接続を異方性の導電接着剤または当業者に知られた別の中間導体によって実現できることに気づかれよう。
【００１６】
別の実施形態では、光学要素１１が備わっていないことにも気づかれよう。
【００１７】
最後に、支持体１８が有利に、センサおよびレンズ組立体を支持する第１部分と他のユニット、特に電子ユニット３０を担持する第２部分との間で折り曲げ可能な柔軟性部分を有することができることに気づかれよう。これによって、第２部分を第１部分の下方に折り畳むことが可能になり、ユニット３０がレンズ組立体の延長上でセンサ４に面して位置する非常にコンパクトな装置が実現する。
【図面の簡単な説明】
【図１】本発明実施形態の断面図
【国際公開パンフレット】
2004507134.tif 000003
2004507134.tif 000004
2004507134.tif 000005
2004507134.tif 000006
2004507134.tif 000007
2004507134.tif 000008
2004507134.tif 000009
【国際公開パンフレット（コレクトバージョン）】
2004507134.tif 000010
2004507134.tif 000011
【手続補正書】
【提出日】平成14年5月17日(2002.5.17)
【手続補正１】
【補正対象書類名】明細書
【補正対象項目名】特許請求の範囲
【補正方法】変更
【補正の内容】
【特許請求の範囲】
【請求項１】
少なくとも１つのレンズ組立体（８、９、１０）と、開口（２０）を有する支持体（１８）と、光感応面（６）を有する基板から形成したセンサ（４）とから形成され、前記光学レンズおよび前記光感応面がそれぞれ、前記支持体のいずれか一方の側に、前記開口に面して位置し、前記支持体が、その第１表面（１６）に、導電通路と第１電気接点パッドまたはバンプとを具備する小寸の画像記録装置（２）において、前記センサが前記光感応面と前記第２接点パッドまたはバンプとを配置した、半導体基板の一方の表面に形成され、第２接点パッドまたはバンプ（２８）が、前記光感応面の周辺部に位置し、かつそれらが電気接続する前記支持体の前記対応する接点パッドまたはバンプに面しており、および前記少なくとも１つのレンズ（８、９、１０）が、両端が開口するフレーム（１２）内に配置され、かつ前記支持体の前記第１表面（１６）とは反対の第２表面（２２）に直接固着されたレンズ組立体をフレームと共に形成していることを特徴とする画像記録装置。
【請求項２】
前記支持体の開口と前記フレームとを少なくとも部分的に貫通する第２レンズおよび／またはフィルタから形成された光学要素（１１）を設けることを特徴とする請求項１に記載の装置。
【請求項３】
前記センサによって供給された電気信号を処理および／または利用するための少なくとも１つの電子ユニット（３０）が設けてあり、その電子ユニットが、前記支持体（１８）の前記第１表面（１６）に配置されていることを特徴とする請求項１または２に記載の装置。
【請求項４】
前記センサが、その上におよび前記支持体の前記第１表面上に付着させた樹脂（３４）によって保護されていることを特徴とする先行する請求項のいずれかに記載の装置。
【国際調査報告】
2004507134.tif 000012
2004507134.tif 000013
2004507134.tif 000014
2004507134.tif 000015
2004507134.tif 000016
2004507134.tif 000017